(57)【特許請求の範囲】
【請求項１】
外壁パネルの外壁面に取り付けられて、表面にタイルパネルを固定するための胴縁が配置される防水透湿シートであって、
表面に、前記胴縁を配置可能な配置位置を示す配置線が、上下に一定ピッチで記載されており、
このピッチは、前記タイルパネルの横目地のピッチと等しくなっていることを特徴とする防水透湿シート。
【請求項２】
請求項１記載の防水透湿シートにおいて、
表面に、前記配置線に対応した印が記載されていることを特徴とする防水透湿シート。
【請求項３】
請求項１または２記載の防水透湿シートにおいて、
表面に外壁パネルの下端位置を示す下端位置線が記載されていることを特徴とする防水透湿シート。
【請求項４】
請求項３記載の防水透湿シートにおいて、
前記下端位置線は、１階の壁パネルの下端位置を示す１階下端位置線と、２階の壁パネルの下端位置を示す２階下端位置線とを備えていることを特徴とする防水透湿シート。
【発明の詳細な説明】
【０００１】
【発明の属する技術分野】
本発明は、外壁パネルの外壁面に取り付けられて、表面にタイルパネルを固定するための胴縁が配置される防水透湿シートに関するものである。
【０００２】
【背景の技術】
建物の構築方法の一つとして、例えば、壁や床、屋根といった構成要素を予め工場にてパネル化しておき、施工現場でこれらのパネルを組み立てることにより、建物を構築するといったパネル工法が一部に採用されている。このようなパネル工法における外壁構造として、例えば、特開平１１−１９７０号公報記載の外壁構造が挙げられる。
この外壁構造は、外壁パネル（パネル本体）の外壁面に防水透湿シート（防水シート）が貼り付けられており、該防水透湿シート上から胴縁（取付材）が外壁パネルに取り付けられ、さらに、この胴縁に外装材が設けられている。そして、前記外装材は、外壁パネルに取り付けられた胴縁に釘等が打ち込まれることによって固定されている。この外装材は、その表面に複数の縦目地と横目地が形成され、これによってタイル調の外観を呈するものである。
【０００３】
【発明が解決しようとする課題】
ところで、通常、胴縁が配置される防水透湿シートには、配置すべき胴縁の位置を示した配置線が記載されており、この配置線に沿って胴縁が配置され、該胴縁から釘が打ち込まれることにより胴縁が外壁パネルに固定されている。
しかし、前記胴縁は、１階の壁パネルと２階の壁パネルとで取り付けられる位置が異なり、さらに、２階の壁パネルに取り付けられる胴縁のうち最上端に位置する胴縁は、軒先の位置等によって外装材の取り付けられる位置が異なるため、胴縁の取り付けられる位置も随時変化する。
したがって、図４に示すように、１階の壁パネルに取り付けられる胴縁の配置線３２と、２階の壁パネルに取り付けられる胴縁の配置線３３と、最上端に取り付けられる胴縁の配置線３４とをそれぞれ１枚の防水透湿シート３１に記載していたので、防水透湿シート３１はこれらの配置線３２，３３，３４が複数記載されて複雑となり、よって、配置線３２，３３，３４に沿って胴縁を取り付けるには煩雑であった。
【０００４】
ところで、前記タイル調の外観を呈する外装材に換えて、実際のタイルが取り付けられたタイルパネルを使用する場合がある。このタイルパネルは、矩形状の基板と、この基板の表面に取り付けられた複数のタイルとを備えており、これらタイルは縦横に所定間隔で配置され、これによってタイル間には縦目地と横目地が形成されている。
このようなタイルパネルを外壁パネルに取り付ける場合は、タイルパネルに取り付けられたタイルから釘等を打ち込むことができないので、タイルパネルの横目地から釘等を打ち込むことによって取り付けており、そのため、この釘等が打ち込まれる横目地の裏面に、胴縁が位置するようにして外壁パネルに胴縁を取り付けることが必要とされている。
【０００５】
しかしながら、従来の外装材は必ずしも横目地から釘を打つとは限らず、所定の規則で釘を打つようにしているので、従来の防水透湿シートには、この規則に合わせて配置線が記載されている。したがって、タイルパネルを固定するための胴縁を、従来の防水透湿シート上に配置しても、タイルパネルの横目地と胴縁とは一致しないので、従来の防水透湿シートでは、タイルパネルが固定される胴縁の配置位置を決めるのに対応できない。また、従来の防水透湿シートには、上述したように、様々な配置線が記載されて煩雑であるので、胴縁の配置作業が容易ではない。
【０００６】
本発明は、上記事情に鑑みてなされたもので、タイルパネルが固定される胴縁の配置位置を容易に決め、また、単純で見やすくすることによって、外壁パネルの外壁面に胴縁を容易に取り付け、該胴縁にタイルパネルを確実に取り付けることのできる防水透湿シートを提供することを課題としている。
【０００７】
【課題を解決するための手段】
上記課題を解決するために、請求項１の発明は、例えば、図１および図２に示すように、外壁パネル２の外壁面２aに取り付けられて、表面にタイルパネル３を固定するための胴縁４が配置される防水透湿シート１であって、
表面に、前記胴縁４を配置可能な配置位置を示す配置線５が、上下に一定ピッチＡで記載されており、
このピッチＡは、前記タイルパネル３の横目地６のピッチＢと等しくなっていることを特徴とする。
【０００８】
請求項１の発明によれば、表面に、前記胴縁４を配置可能な配置位置を示す配置線５が、上下に一定ピッチＡで記載されており、このピッチＡは、前記タイルパネル３の横目地６のピッチＢと等しくなっているので、所要の配置線５に沿って胴縁４を配置することにより、この胴縁４はタイルパネル３の横目地６の裏面に容易に配置されることになる。
したがって、タイルパネル３の横目地６から釘１９等を打ち込むことによって、胴縁４に釘１９等が打ち込まれて、よってタイルパネル３を外壁パネル２に確実に固定することができる。
【０００９】
また、従来では、１階の壁パネルに取り付けられる胴縁の配置線３２と、２階の壁パネルに取り付けられる胴縁の配置線３３と、最上端に取り付けられる胴縁の配置線３４とをそれぞれ１枚の防水透湿シート３１に記載していたので、これらの配置線３２，３３，３４が複数記載されて複雑で、誤った配置線に胴縁を取り付けてしまうこともあり、取付作業が煩雑であったが、本発明では、配置線５が上下に一定ピッチＡで記載されているので、単純で見やすく、所要の配置線５に沿って胴縁４を容易に配置させて取り付けることができ、よって、この点においても、タイルパネル３を外壁パネル２に確実に固定することができる。
【００１０】
前記外壁パネル２とは、例えば、１階の壁パネル１１や２階の壁パネル等が挙げられる。
【００１１】
前記横目地６のピッチＢは、水平モジュール（１モジュール＝１５１ｍｍ）に沿って形成されており、１／２モジュールに設定されている。
このモジュールとは、建築のあらゆる部分を一定の大きさの倍数関係に整えようとするときの基準になる寸法のことを指す。
このように、横目地６のピッチＢを１／２モジュールに設定することによって、例えば、開口部のある外壁パネル２にタイルパネル３を取り付ける場合に、開口部もモジュールに沿って形成されているので、開口部の縁とタイルパネル３の横目地６の位置とが一致することになる。
【００１２】
請求項２の発明は、例えば、図１に示すように、請求項１記載の防水透湿シート１において、
表面に、前記配置線５に対応した印Ｓ（例えば、番号１〜３６）が記載されていることを特徴とする。
【００１３】
請求項２の発明によれば、表面に、前記配置線５に対応した印Ｓが記載されているので、胴縁４を配置すべき配置線５の印Ｓ（番号１〜３６）から所要の印Ｓを指定することにより、誤った配置線５に胴縁４を取り付けることなく、所要の配置線５に胴縁４をスムーズに取り付けることができる。
【００１４】
前記印Ｓとしては、例えば、番号１〜３６やアルファベット等が挙げられる。
【００１５】
請求項３の発明は、例えば、図１および図２に示すように、請求項１または２記載の防水透湿シート１において、
表面に外壁パネル２の下端位置２bを示す下端位置線１０が記載されていることを特徴とする。
【００１６】
請求項３の発明によれば、表面に外壁パネル２の下端位置２bを示す下端位置線１０が記載されているので、前記下端位置線１０を外壁パネル２の下端位置２bに合わせて取り付けることによって、外壁パネル２に対する防水透湿シート１の位置決めを容易に行い、取付作業をスムーズに行うことができる。
また、常に、外壁パネル２の一定の場所に配置線５が位置するようになり、所要の配置線５に沿って胴縁４を取り付け、さらにタイルパネル３を取り付けることによって、胴縁４やタイルパネル３も一定の場所に位置することになる。したがって、複数の外壁パネル２に取り付ける場合でも、容易に一定の場所にタイルパネル３を位置させることができ、よって、外壁パネル２全体としての見栄えが良くなる。
【００１７】
請求項４の発明は、例えば、図１および図２に示すように、請求項３記載の防水透湿シート１において、
前記下端位置線１０は、１階の壁パネル１１の下端位置１１aを示す１階下端位置線１２と、２階の壁パネルの下端位置を示す２階下端位置線１３とを備えていることを特徴とする。
【００１８】
請求項４の発明によれば、前記下端位置線１０は、１階下端位置線１１と２階下端位置線１３とを備えているので、１階の壁パネル１１に取り付ける場合には、前記１階下端位置線１２を１階の壁パネル１１の下端位置１１aに合わせて取り付け、２階の壁パネルに取り付ける場合には、前記２階下端位置線１３を２階の壁パネルの下端位置に合わせて取り付けることによって、１階の壁パネル１１や２階の壁パネルに対する防水透湿シート１の位置決めを容易に行い、取付作業をそれぞれスムーズに行うことができる。
また、常に、１階の壁パネル１１や２階の壁パネルの一定の場所にそれぞれ配置線５が位置するようになり、この配置線５に沿って胴縁４を取り付け、さらにタイルパネル３を取り付けることによって、胴縁４やタイルパネル３も一定の場所に位置することになる。したがって、複数の１階の壁パネル１１や２階の壁パネルに取り付ける場合でも、容易に一定の場所にタイルパネル３を位置させることができ、よって、１階の壁パネル１１や２階の壁パネル全体としての見栄えが良くなる。
【００１９】
請求項４のように、前記下端位置線１０が１階下端位置線１２と２階下端位置線１３とを備えている防水透湿シート１を使用する場合は、例えば、予め工場等で外壁パネル２に、防水透湿シート１を取り付けて防水透湿シート付きの外壁パネルとしておき、現場でこの防水透湿シート付きの外壁パネルの防水透湿シート１上から、胴縁４やタイルパネル３を取り付ける場合である。
【００２３】
【発明の実施の形態】
以下、本発明の実施の形態を図面に基づいて説明する。
図１は、本発明の実施の形態を示す防水透湿シートの表面図、図２および図３は、１階の壁パネルにおける防水透湿シートの取付構造を示す側断面図である。
図１および図２に示すように、本発明の防水透湿シート１は、外壁パネル２の外壁面２aに取り付けられて、表面にタイルパネル３を固定するための胴縁４が配置されるものである。
【００２４】
前記タイルパネル３は、矩形状の基板３aと、この基板３aの表面に取り付けられた複数のタイル３bとを備えており、前記タイル３b，３b間には縦目地（図示しない）と横目地６が設けられているものである。
前記防水透湿シート１は、その表面に、胴縁４を配置可能な配置位置を示す配置線５が、上下に一定ピッチＡで記載されており、このピッチＡは前記タイルパネル３の横目地６のピッチＢと等しくなっている。つまり、ピッチＡおよびピッチＢは、７５．８ｍｍとされている。
【００２５】
前記配置線５は、図１に示すように、７５．８ｍｍ間隔で防水透湿シート１に破線で記載された第１配置線７と、４５５ｍｍ間隔で防水透湿シート１に実線で記載された第２配置線８とを備えている。
また、防水透湿シート１の表面には、前記配置線５に対応した印Ｓである番号が１〜３６まで記載されている。
そして、第１配置線７や第２配置線８に、胴縁４の上端４aが沿うようにして、防水透湿シート１上に胴縁４が配置されるようになっている。
【００２６】
なお、基本的には、実線で記載された第２配置線８に胴縁４が配置されるようになっているが、後述するように、２階の壁パネルの最上段に配置される最上段胴縁４を取り付ける場合や、開口部が設けられた壁パネル等に胴縁４を取り付ける場合等は、第２配置線８に限らず所要の番号が記載された第１配置線７に配置される。また、最上段胴縁４が２つの配置線５の間に位置している場合には、近い方の配置線５に、その上端４aまたは下端が沿うようにして配置される。
【００２７】
さらに、防水透湿シート１には、外壁パネル２の下端位置２bを示す下端位置線１０が記載されている。
前記下端位置線１０は、１階の壁パネル１１の下端位置１１aを示す１階下端位置線１２と、２階の壁パネルの下端位置を示す２階下端位置線１３とを備えている。
前記１階下端位置線１２は、防水透湿シート１の下端部１bから６９ｍｍ上方の位置に記載されており、前記２階下端位置線１３は、防水透湿シート１の下端部１bから３１０ｍｍ上方の位置に記載されている。
【００２８】
そして、１階下端位置線１２を１階の壁パネル１１の下端位置１１aに合わせて防水透湿シート１を取り付けた場合は、１階の壁パネル１２の下端位置１１aから６９ｍｍ防水透湿シート１がはみ出し、このはみ出した部分の防水透湿シート１は、１階の床パネル１４および半土台１５の外面に位置するようになっている。
【００２９】
また、２階下端位置線１３を２階の壁パネルの下端位置に合わせて防水透湿シート１を取り付けた場合は、２階の壁パネルの下端位置から３１０ｍｍ防水透湿シート１がはみ出し、このはみ出した部分の防水透湿シート１は、２階の床パネルおよび胴差の外面、すなわち幕板の外面に位置するようになっている。
このように、１階下端位置線１２と防水透湿シート１の下端部１bとの間の距離が、２階下端位置線１３と防水透湿シート１の下端部１bとの間の距離よりも短くなっているのは、１階の半土台１５の厚さが、２階の胴差の厚さよりも短くなっているためである。
【００３０】
なお、このような１階下端位置線１２と２階下端位置線１３とを、それぞれ１階の壁パネル１１の下端位置１１aや２階の壁パネルの下端位置に合わせて防水透湿シート１を取り付ける場合は、予め、工場等で１階の壁パネル１１や２階の壁パネルに、この防水透湿シート１を取り付けて、防水透湿シート付きの壁パネルとしたうえで、現場でこの防水透湿シート付き壁パネルを基礎１７上に設置し、その後、防水透湿シート１上から１階の壁パネル１１や２階の壁パネルに胴縁４やタイルパネル３を取り付ける場合である。
【００３１】
また、前記１階下端位置線１２の上部には、寒冷地で使用される寒冷地用１階下端位置線１２aが記載されている。
【００３２】
さらに、前記防水透湿シート１の表面には、１階の壁パネル１１の下端位置１１aと、２階の壁パネルの下端位置とを共通位置として示す共通位置線１６である下端位置線１０が記載されている。
前記共通位置線１６は、防水透湿シート１の下端部１bから２２０ｍｍ上方の位置に記載されている。
すなわち、前記共通位置線１６を、１階の壁パネル１１の下端位置１１aや２階の壁パネルの下端位置に合わせて防水透湿シート１をそれぞれの壁パネル１１に取り付けた場合は、１階の壁パネル１１の下端位置１１aや２階の壁パネルの下端位置から２２０ｍｍ防水透湿シート１がはみ出し、このはみ出した部分の防水透湿シート１は、１階の床パネル１４および半土台１５の外面や２階の床パネルおよび胴差の外面に位置するようになっている。
【００３３】
なお、この共通位置線１６を、それぞれ１階の壁パネル１１の下端位置１１aや２階の壁パネルの下端位置に合わせて防水透湿シート１を取り付ける場合は、予め、工場等で１階の壁パネル１１や２階の壁パネルに、この防水透湿シート１を取り付け、さらに、防水透湿シート１上から１階の壁パネル１１や２階の壁パネルに胴縁４やタイルパネル３までを取り付けて、タイルパネル付き壁パネルとしたうえで、このタイルパネル付き壁パネルを現場に運んで基礎１７上に設置する場合である。
【００３４】
また、破線で記載された前記第１配置線７は、その破線部分７aが、壁パネル１１を構成する縦棧材の幅と等しくなっており、この破線部分７aによって、縦棧材の位置や、縦棧材が上下方向において曲がって組みつけられていないかを確認することができる。
つまり、防水透湿シート１が壁パネル１１に貼りつけられて、例えば、番号１の第１配置線７の破線部分７aのうちの左から２番目に位置する破線部分７bに縦棧材の上端部の幅が一致している場合に、この左から２番目に位置する破線部分７bに沿って縦棧材が上下方向に配置されていれば、縦棧材が曲がって組みつけられていないことが確認できる。
【００３５】
次に、前記防水透湿シート１を外壁パネル２である１階の壁パネル１１の外壁面１１bや２階の壁パネルの外壁面に取り付けてなる防水透湿シートの取付構造および取付方法についてそれぞれ２通り説明する。
なお、２通りの取付構造および取付方法のうちの１つ目は、前記防水透湿シート１に記載された１階下端位置線１２と２階下端位置線１３とを使用して、防水透湿シート１が取り付けられる場合であり、２つ目は、防水透湿シート１に記載された共通位置線１６を使用して、防水透湿シート１が取り付けられる場合である。
【００３６】
まず、１つ目の防水透湿シート１に記載された１階下端位置線１２と２階下端位置線１３とを使用して防水透湿シート１が取り付けられる取付構造について説明する。
図２に示すように、基礎１７上に台輪１８が設置されて、該台輪１８のうちの内側半分に１階の床パネル１４が設置されて、外側半分に半土台１５が設置されている。そして、１階の床パネル１４および半土台１５の上面に１階の壁パネル１１が設置されている。
【００３７】
前記１階の壁パネル１１は、框材を矩形状に組み立てるとともにこの矩形枠の内部に補強用の棧材を縦横に組み付けて枠体を構成し、この枠体の一方の面に合板などの面材が設けられてなるものである。
【００３８】
前記１階の壁パネル１１の外壁面１１bには、防水透湿シート１が接着剤やタッカーによって取り付けられている。すなわち、１階の壁パネル１１の下端位置１１aに防水透湿シート１の１階下端位置線１２を合わせることによって取り付けられている。
そして、１階下端位置線１２から下方の防水透湿シート１が６９ｍｍはみ出しており、このはみ出した部分の防水透湿シート１が１階の床パネル１４や半土台１５の外面に位置している。
【００３９】
また、この防水透湿シート１の上面には、防水透湿シート１の第２配置線８に胴縁４の上端４aが沿うようにして、複数の胴縁４が配置されており、これらの胴縁４は、１階の壁パネル１１を構成する棧材上に位置している（図１参照）。
なお、図１では、複数の第２配置線８のうちの１つの第２配置線８のみに胴縁４が配置されているが、実際には、例えば、第２配置線８の番号６，１２，１８，２４,３０に配置されている。このように、基本的に、胴縁４は第２配置線８に配置されているが、第２配置線８のみに限らず、所要の番号の第１配置線７に配置されていても良く、適宜配置されている。
【００４０】
前記胴縁４の上面にはタイルパネル３が取り付けられており、このタイルパネル３は、横目地６から該横目地６の裏面に位置する胴縁４に向けて釘１９が打ち込まれることによって固定されている。
このようにして胴縁４に固定されているタイルパネル３は、１階の壁パネル１１の下端位置１１aから下方に８６ｍｍはみ出している。すなわち、１階の壁パネル１１の下端位置１１aからはみ出した部分は、タイルパネル３が８６ｍｍであり、防水透湿シート１は６９ｍｍであるので、はみ出した部分の防水透湿シート１はタイルパネル３に隠されて外側からは見えないようになっている。
前記防水透湿シート１の下端部１bと半土台１５の外面との間には、水切り２０が取り付けられている。
【００４１】
一方、２階の壁パネルの外壁面に、防水透湿シート１が取り付けられている場合は、図示しないが、１階の壁パネル１１の外壁面１１bに、防水透湿シート１が取り付けられている場合とほぼ同様にして取り付けられている。
すなわち、２階の壁パネルの下端位置に防水透湿シート１の２階下端位置線１３を合わせることによって取り付けられている。そして、２階下端位置線１３から下方の防水透湿シート１が３１０ｍｍはみ出しており、このはみ出した部分の防水透湿シート１が２階の床パネルや胴差の外面に位置している。
【００４２】
また、この防水透湿シート１の表面には、該防水透湿シート１の第２配置線８に胴縁４の上端４aが沿うようにして、複数の胴縁４が配置されており、これらの胴縁４は、２階の壁パネルを構成する棧材上に位置している（図１参照）。
【００４３】
なお、図１では、複数の第２配置線８のうちの１つの第２配置線８のみに胴縁４が配置されているが、実際には、例えば、第２配置線８の番号６，１２，１８，２４,３０に配置されており、また、防水透湿シート１に配置される胴縁４のうちの、最上段に位置する最上段胴縁４は、第２配置線８のみに限らず、軒先の位置に対応した位置の所要の番号が記載された第１配置線７に配置されている。
また、ここで、最上段胴縁４が、防水透湿シート１の２つの配置線５の間に位置している場合には、近い方の配置線５に上端４aまたは下端が沿うようにして配置されている。
【００４４】
前記胴縁４の上面にはタイルパネル３が取り付けられており、このタイルパネル３は、横目地６から該横目地６の裏面に位置する胴縁４に向けて釘１９が打ち込まれることによって固定されている。
また、このようにして胴縁４に固定されているタイルパネル３は、２階の壁パネルの下端位置から下方にはみ出しており、２階の壁パネルからはみ出した防水透湿シート１は、このタイルパネル３のはみ出した部分によって隠されて外側からは見えないようになっている。
前記防水透湿シート１の下端部１bと胴差の外面との間には、水切り２０が取り付けられている。
【００４５】
次に、前記防水透湿シート１を外壁パネル２である１階の壁パネル１１の外壁面１１aに取り付ける防水透湿シート１の取付方法について説明する。
まず、予め工場等で、１階の壁パネル１１の下端位置１１aに防水透湿シート１の１階下端位置線１２が合うようにして、接着剤やタッカーにより防水透湿シート１を１階の壁パネル１１に取り付けておく。そして、この防水透湿シート１が取り付けられた１階の壁パネル１１を現場に運んで、基礎１７上の床パネル１４および半土台１５の上端に設置する。
【００４６】
次いで、防水透湿シート１に記載された番号１〜３６のうち、指示された番号が記載された第１配置線７に胴縁４の上端４aを合わせて、複数の胴縁４を配置していく。その後、胴縁４にタイルパネル３を取り付ける。この際に、タイルパネル３の横目地６の裏面には胴縁４が配置されているので、タイルパネル３の横目地６から胴縁４に向けて釘１９を打ち込むことによって、タイルパネル３を１階の壁パネル１１に取り付ける。
そして、防水透湿シート１の下端部１bで、該防水透湿シート１と１階の壁パネル１１との間に水切り２０を設置する。
【００４７】
なお、前記防水透湿シート１を２階の壁パネルの外壁面に取り付ける防水透湿シート１の取付方法については、上述した１階の壁パネル１１の場合の取付方法とほぼ同様のため、その説明を省略する。
【００４８】
次に、２つ目の防水透湿シート１に記載された共通位置線１６を使用して、防水透湿シート１が取り付けられる場合の取付構造について説明する。
図３に示すように、基礎１７上に台輪１８が設置されて、該台輪１８のうちの内側半分に１階の床パネル１４が設置されて、外側半分に半土台１５が設置されている。そして、１階の床パネル１４および半土台１５の上面に１階の壁パネル１１が設置されている。
【００４９】
前記１階の壁パネル１１の外壁面１１bには、防水透湿シート１が接着剤やタッカーによって取り付けられている。すなわち、１階の壁パネル１１の下端位置１１aに防水透湿シート１の共通位置線１６を合わせることによって取り付けられている。そして、共通位置線１６から下方の防水透湿シート１が２２０ｍｍはみ出しており、このはみ出した部分の防水透湿シート１が１階の床パネル１４や半土台１５の外面に位置している。
【００５０】
また、この防水透湿シート１の上面には、該防水透湿シート１の第２配置線８に胴縁４の上端４aが沿うようにして、複数の胴縁４が配置されており、これらの胴縁４は、１階の壁パネル１１を構成する棧材上に位置している（図１参照）。
なお、図１では、複数の第２配置線８のうちの１つの第２配置線８のみに胴縁４が配置されているが、実際には、例えば、第２配置線８の番号６，１２，１８，２４，３０に配置されている。このように、基本的に、胴縁４は第２配置線８に配置されているが、第２配置線８のみに限らず、所要の番号の第１配置線７に配置されていても良く、適宜配置されている。
【００５１】
前記胴縁４の上面にはタイルパネル３が取り付けられており、このタイルパネル３は、横目地６から該横目地６の裏面に位置する胴縁４に向けて釘１９が打ち込まれることによって固定されている。
また、このようにして胴縁４に固定されているタイルパネル３は、１階の壁パネル１１の下端位置１１aから下方に７４ｍｍはみ出している。すなわち、１階の壁パネル１１の下端位置１１aからはみ出した部分は、タイルパネル３が７４ｍｍであり、防水透湿シート１は２２０ｍｍであり、防水透湿シート１はタイルパネル３からはみ出して外側から見えるが、防水透湿シート１の下端部１bと半土台１５の外面との間に水切り２０が取り付けられた後に、このはみ出した部分の防水透湿シート１が切断されるので、防水透湿シート１は外側から見えなくなる。
【００５２】
なお、前記防水透湿シート１が２階の壁パネルの外壁面に取り付けられてなる防水透湿シート１の取付構造については、上述した１階の壁パネル１１の場合の取付構造とほぼ同様のため、その説明を省略する。
【００５３】
次に、前記防水透湿シート１を外壁パネル２である１階の壁パネル１１の外壁面１１bに取り付ける防水透湿シート１の取付方法について説明する。
まず、予め工場等で、１階の壁パネル１１の下端位置１１aに、防水透湿シート１の共通位置線１６が合うようにして防水透湿シート１を１階の壁パネル１１に取り付けておく。
【００５４】
次いで、防水透湿シート１に記載された番号１〜３６のうち、指示された番号が記載された第２配置線８に胴縁４の上端４aを合わせて、複数の胴縁４を配置していく。その後、胴縁４にタイルパネル３を取り付ける。この際に、タイルパネル３の横目地６の裏面には胴縁４が配置されているので、タイルパネル３の横目地６から胴縁４に向けて釘１９を打ち込むことによって、タイルパネル３を１階の壁パネル１１に取り付ける。
【００５５】
その後、このようにしてタイルパネル付きの壁パネルを現場に運んで、基礎１７上の床パネル１４および半土台１５の上端に設置する。
そして、防水透湿シート１の下端部１bで、該防水透湿シート１と１階の壁パネル１１との間に、水切り２０を設置し、上述したようにタイルパネル３からはみ出した防水透湿シート１の下端部１bを切断する。
【００５６】
なお、前記防水透湿シート１を２階の壁パネルの外壁面に取り付ける防水透湿シート１の取付方法については、上述した１階の壁パネル１１の場合の取付方法とほぼ同様のため、その説明を省略する。
【００５７】
本発明の実施の形態によれば、表面に、胴縁４を配置可能な配置位置を示す配置線５が、上下に一定ピッチＡで記載されており、このピッチＡは、タイルパネル３の横目地６のピッチＢと等しくなっているので、所要の配置線５に沿って胴縁４を配置することにより、この胴縁４はタイルパネル３の横目地６の裏面に容易に配置されることになる。
したがって、横目地６から釘１９等を打ち込むことにより、タイルパネル３を外壁パネル２に確実に固定することができる。
【００５８】
また、配置線５が上下に一定ピッチＡで記載されているので、従来と異なり、単純で見やすく、所要の配置線５に沿って胴縁４を容易に配置させて取り付けることができる。
【００５９】
表面に、前記配置線５に対応した番号１〜３６が記載されているので、胴縁４を配置すべき配置線５の番号１〜３６から所要の番号を指定することにより、胴縁４を間違うことなくスムーズに取り付けることができる。
【００６０】
前記下端位置線１０は、１階下端位置線１１と２階下端位置線１３とを備えているので、１階の壁パネル１１や２階の壁パネルに対する防水透湿シート１の位置決めを容易に行い、取付作業をスムーズに行うことができる。
【００６１】
前記共通位置線１６は、１階の壁パネル１１の下端位置１１aと２階の壁パネルの下端位置とに共用して使用することができ、また、１階の壁パネル１１や２階の壁パネルに対する防水透湿シート１の位置決めを容易に行い、取付作業をスムーズに行うことができる。
【００６２】
また、常に、１階の壁パネル１１や２階の壁パネルの一定の場所に配置線５や胴縁４，タイルパネル３が位置するようになり、よって、１階の壁パネル１１や２階の壁パネル全体としての見栄えが良くなる。
【００６３】
さらに、前記１階下端位置線１２と２階下端位置線１３と共通位置線１６とを備えているので、予め工場等で外壁パネル２に防水透湿シート１までを取り付けて防水透湿シート付き外壁パネルとする場合と、予め工場等で外壁パネル２に防水透湿シート１、胴縁４、タイルパネル３を取り付けてタイルパネル付き外壁パネルとする場合との両方の場合において、この防水透湿シート１を使用することができ、兼用することができるので、コストの削減につながる。
【００６４】
【発明の効果】
請求項１の発明によれば、所要の配置線に沿って胴縁を配置させることにより、この胴縁はタイルパネルの横目地の裏面に容易に配置されることになる。したがって、横目地から釘等を打ち込むことによりタイルパネルを外壁パネルに確実に固定することができる。
また、前記配置線が上下に一定ピッチで記載されているので、単純で見やすく、所要の配置線に沿って胴縁を容易に配置させて取り付けることができる。
【００６５】
請求項２の発明によれば、請求項１と同様の効果を得ることができるのは勿論のこと、胴縁を配置すべき配置線の印から所要の印を指定することにより、所要の配置線に胴縁をスムーズに取り付けることができる。
【００６６】
請求項３の発明によれば、請求項１または２と同様の効果を得ることができるのは勿論のこと、外壁パネルに対する防水透湿シートの位置決めを容易に行い、取付作業をスムーズに行うことができる。
また、常に、外壁パネルの一定の場所に配置線や胴縁、タイルパネルが位置することによって、外壁パネル全体としての見栄えが良くなる。
【００６７】
請求項４の発明によれば、請求項３と同様の効果を得ることができるのは勿論のこと、１階の壁パネルや２階の壁パネルに対する防水透湿シートの位置決めを容易に行い、取付作業をスムーズに行うことができる。
また、常に、１階の壁パネルや２階の壁パネルの一定の場所に配置線や胴縁、タイルパネルが位置することによって、１階の壁パネルや２階の壁パネル全体としての見栄えが良くなる。
【図面の簡単な説明】
【図１】本発明の実施の形態を示すためのもので、防水透湿シートの表面図である。
【図２】同、１階の壁パネルにおける防水透湿シートの取付構造を示す側断面図である。
【図３】同、１階の壁パネルにおける防水透湿シートの取付構造を示す側断面図である。
【図４】従来の防水透湿シートの表面図である。
【符号の説明】
１    防水透湿シート
２    外壁パネル
２a   外壁面
２b   下端位置
３    タイルパネル
４    胴縁
５    配置線
６    横目地
１０    下端位置線
１１    １階の壁パネル
１２    １階下端位置線
１３    ２階下端位置線
Ａ，Ｂ  ピッチ
Ｓ      印
【図１】
0004664538.tif 000002
【図２】
0004664538.tif 000003
【図３】
0004664538.tif 000004
【図４】
0004664538.tif 000005